(57)【要約】【課題】軸筒１内に複数の筆記体を収納し、筆記体とその後端に連結される操作部材とを交換可能に構成し、その筆記体として固形芯１３を繰り出す固形芯繰出体を用いることができる複合筆記具に適用できる。【解決手段】固形芯繰出体を、チャック４とチャック４を長手方向後方に付勢するスプリング８とを有するチャックユニットにガイド筒１２を連結して構成する。このガイド筒１２内に固形芯１３を内蔵し、チャック４の前進動作により前進する押棒１１で固形芯１３を繰り出す。更に、ガイド筒１２及びチャックユニットの最大外径を複合筆記具のコイルスプリング３の内径より小さく構成する。【選択図】図１
2013052580.tif 000002
【特許請求の範囲】
【請求項１】
軸筒内に複数の筆記体を前後方向に移動可能に収納し、前記各々の筆記体をコイルスプリングにより後方に付勢し、前記各々の筆記体の後端に操作部材を連結し、軸筒の側壁に前後方向に伸びる複数の窓孔を径方向に貫通して形成し、前記各々の窓孔から径方向外方に前記各々の操作部材の操作部を突出させ、一つの操作部材を窓孔に沿って前方にスライドさせることにより、その一つの操作部材に連結された筆記体の先端を軸筒の前端孔から突出させるとともに、先に突出状態にあった他の筆記体の先端を軸筒内に没入させてなり、更に、軸筒の後端に、窓孔を後方に開口させる開閉自在の開口部を設け、前記開口部を介して筆記体及び操作部材を、軸筒内から取り外し可能且つ軸筒内に挿入可能に構成した複合筆記具であって、少なくとも筆記体の一つが固形芯繰出体であり、前記固形芯繰出体を、チャックとチャックを長手方向後方に付勢するスプリングとを有するチャックユニットにガイド筒を連結して構成し、このガイド筒内に固形芯を内蔵し、チャックの前進動作により押棒を繰り出すことによって、押棒の前進とともに固形芯を繰り出し、更に、ガイド筒の前部に固形芯を適度の力で保持する係合部を形成するとともに、押棒の前端に前膨出部を形成し、前記ガイド筒及びチャックユニットの最大外径を前記各々のコイルスプリングの内径より小さく構成したことを特徴とする複合筆記具。
【請求項２】
軸筒の内壁にコイルスプリングの前端が当接するスプリング支持部を設け、固形芯繰出体のガイド筒及びチャックユニットの最大外径を前記スプリング支持部の内孔の内径より小さく構成したことを特徴とする請求項１記載の複合筆記具。
【発明の詳細な説明】
【技術分野】
【０００１】
本発明は、軸筒内に複数の筆記体を収納し、筆記体とその後端に連結される操作部材とを交換可能に構成した複合筆記具に関する。
【背景技術】
【０００２】
従来、多芯筆記具（複合筆記具）において、軸筒の後端に窓孔を後方に開口させる開閉自在の開口部を設け、前記開口部を介して筆記体と操作体とを、連結状態で、軸筒内から取り外し可能且つ軸筒内に挿入可能に構成したことが開示されている。（特許文献１参照）
【０００３】
しかしながら、上記多芯筆記具は、筆記体として固形芯を繰り出す固形芯繰出体を用いる点については全く記載されていなかった。
【先行技術文献】
【特許文献】
【０００４】
【特許文献１】特開２００７−３８６３５号公報
【発明の概要】
【発明が解決しようとする課題】
【０００５】
解決しようとする問題点は、軸筒内に複数の筆記体を収納し、筆記体とその後端に連結される操作部材とを交換可能に構成した複合筆記具において、固形芯を繰り出す固形芯繰出体を用いることができない点である。
【課題を解決するための手段】
【０００６】
本発明は、軸筒内に複数の筆記体を前後方向に移動可能に収納し、前記各々の筆記体をコイルスプリングにより後方に付勢し、前記各々の筆記体の後端に操作部材を連結し、軸筒の側壁に前後方向に伸びる複数の窓孔を径方向に貫通して形成し、前記各々の窓孔から径方向外方に前記各々の操作部材の操作部を突出させ、一つの操作部材を窓孔に沿って前方にスライドさせることにより、その一つの操作部材に連結された筆記体の先端を軸筒の前端孔から突出させるとともに、先に突出状態にあった他の筆記体の先端を軸筒内に没入させてなり、更に、軸筒の後端に、窓孔を後方に開口させる開閉自在の開口部を設け、前記開口部を介して筆記体及び操作部材を、軸筒内から取り外し可能且つ軸筒内に挿入可能に構成した複合筆記具であって、少なくとも筆記体の一つが固形芯繰出体であり、前記固形芯繰出体を、チャックとチャックを長手方向後方に付勢するスプリングとを有するチャックユニットにガイド筒を連結して構成し、このガイド筒内に固形芯を内蔵し、チャックの前進動作により押棒を繰り出すことによって、押棒の前進とともに固形芯を繰り出し、更に、ガイド筒の前部に固形芯を適度の力で保持する係合部を形成するとともに、押棒の前端に前膨出部を形成し、前記ガイド筒及びチャックユニットの最大外径を前記各々のコイルスプリングの内径より小さく構成したことを最も主要な特徴とする。
【発明の効果】
【０００７】
本発明は、固形芯繰出体を、軸筒の後端の開口部から軸筒内にスムーズに挿入することができるという利点が得られるものである。
【図面の簡単な説明】
【０００８】
【図１】図１は、本発明の実施例１の複合筆記具を示す部分断面図である。（実施例１）
【図２】図２は、本発明の実施例１の複合筆記具に収納される固形芯繰出体を示す拡大部分断面図である。（実施例１）
【図３】図３は、本発明の実施例１の複合筆記具に収納される固形芯繰出体を示す主要部拡大平面図である。（実施例１）
【図４】図４は、本発明の実施例１の複合筆記具において、固形芯繰出体を突出させた状態を示す部分断面図である。（実施例１）
【図５】図５は、本発明の複合筆記具に収納される実施例２の固形芯繰出体を示す拡大部分断面図である。（実施例２）
【発明を実施するための形態】
【０００９】
固形芯を繰り出す固形芯繰出体とその後端に連結される操作体とを交換可能に収納できる複合筆記具を実現した。
【実施例１】
【００１０】
以下、図１、図２、図３及び図４に基づいて本発明における実施例１の複合筆記具を説明する。尚、図１の左側を前方とし、右側を後方とする。先ず、軸筒１の前端に前端孔１Ａと前端部内壁１Ｂを形成する。また、軸筒１の中間部内側にスプリング支持部１Ｃを形成し、このスプリング支持部１Ｃに２つの内孔１Ｄを並列に形成する。更に、軸筒１の側壁後方に前後方向に伸びる窓孔１Ｅを径方向に貫通して相対位置に形成する。また、軸筒１のそれぞれの窓孔１Ｅの両側の側壁内面には、前後方向に伸びるリブからなる係止壁部１Ｆが対向して形成される。この軸筒１の後端部には開口部１Ｇが形成され、前記窓孔１Ｅが後方に開口される。
【００１１】
前記軸筒１の後端部には、前記開口部１Ｇを開閉するための蓋体２が回動自在に設けられ、蓋体２の係止部が軸筒１の係止部に係止されることにより軸筒１の開口部１Ｇが閉じられる。更に、前記軸筒１のスプリング支持部１Ｃにコイルスプリング３がそれぞれの内孔１Ｄに合わされて並列に取り付けられる。
【００１２】
次に、固形芯繰出体を図２及び図３に基づいて説明すると、チャック４の頭部４Ａを複数に分割し、このチャック４の頭部４Ａに締具５を外嵌する。更に、締具５を受け止める外筒６の内段６Ａとチャック４の後部に連結されたノック筒７の前端との間に取付時荷重３００ｇ〜８００ｇ程度でスプリング８を取り付けチャックユニットを構成する。前記スプリング８によりチャック４を長手方向後方に付勢し、チャック４の頭部４Ａを締具５に押圧する。すると、締具５が外筒６の前端に当接し、チャック４が閉じられる。前記外筒６の前部に先部材９を着脱可能に螺合し、先部材９の係止段９Ａと外筒６の前端との間を締具５が摺動可能に構成する。前記先部材９にはゴム製のホルダー１０が内蔵される。
【００１３】
前記ホルダー１０及びチャック４内に合成樹脂製の棒状体からなる押棒１１を挿入し、押棒１１をホルダー１０で適度の力で保持するとともにチャック４で押棒１１を強く保持する。このホルダー１０及びチャック４に挿入された合成樹脂製の押棒１１の前端に熱を加えて大型の外鍔状に変形させ前膨出部１１Ａを形成する。また、押棒１１の後端に熱を加えて小型の外鍔状に変形させ後膨出部１１Ｂを形成する。更に、金属パイプからなるガイド筒１２の前部に長手方向に伸びた切溝１２Ａを並列に形成し、この切溝１２Ａにより構成された弾性部を内方に変形させて係合部１２Ｂを形成する。このガイド筒１２の後部を前記先部材９の前部に圧入固着し、固形芯繰出体を構成する。
【００１４】
次に、ノック筒７を前方に押圧してチャック４を拡開した状態で、前記ガイド筒１２に固形芯１３を挿入し、ガイド筒１２の係合部１２Ｂで固形芯１３を適度の力で保持するとともに、固形芯１３の後端を押棒１１の前膨出部１１Ａに当接し、固形芯１３を十分に挿入した状態でノック筒７の押圧を解除し、固形芯繰出体に固形芯１３を収納する。この固形芯１３は、直径２．４ｍｍ程度の棒状体で、消しゴムで消去可能な焼成した鉛筆芯や、無焼成の色鉛筆芯等が考えられる。
【００１５】
この固形芯繰出体は、並列した切溝１２Ａにより弾性部を形成し、この弾性部を内方に変形させて係合部１２Ｂを形成するので、ガイド筒１２が太くならず細径の固形芯繰出体が構成できる利点が得られるものである。また、押棒１１の後端に後膨出部１１Ｂが形成されているので、誤って押棒１１を前方に引っ張っても押棒１１が外れてしまう恐れがない。
【００１６】
更に、この固形芯繰出体には、ノック筒７の細径の後部７Ａに合成樹脂製のパイプ部材１４を圧入固着して取り付ける。このパイプ部材１４の後部を操作部材１５の前端に形成された接続部１５Ａに圧入固着する。この操作部材１５は、後端側に形成されかつ外方に突出する操作部１５Ｂと、操作部１５Ｂの反対側に設けられる前側突出部１５Ｃと、前側突出部１５Ｃの後方に設けられる後側突出部１５Ｄと、接続部１５Ａのやや後方に形成される鍔部１５Ｅとを備える。
【００１７】
また、固形芯繰出体のガイド筒１２の最大外径、先部材９の最大外径、外筒６の最大外径、ノック筒７の最大外径及びパイプ部材１４の最大外径は、前記複合筆記具のスプリング支持部１Ｃの内孔１Ｄ内径及びコイルスプリング３の最小内径より小さく構成する。
【００１８】
上記操作部材１５を連結した固形芯繰出体は、前記複合筆記具の蓋体２を開いて開口された軸筒１の開口部１Ｇより挿入する。そして、ガイド筒１２、先部材９、外筒６、ノック筒７及びパイプ部材１４がスプリング支持部１Ｃの内孔１Ｄ及びコイルスプリング３を挿通して軸筒１内に収納される。また、操作部材１５の操作部１５Ｂは軸筒１の窓孔１Ｅより突出する。
【００１９】
更に、操作部材１６を連結したボールペン体１７を軸筒１の開口部１Ｇより挿入し、スプリング支持部１Ｃの別の内孔１Ｄ及び別のコイルスプリング３を挿入して軸筒１内に収納する。また、操作部材１６の操作部１６Ａを軸筒１の窓孔１Ｅより突出させる。
【００２０】
その後、蓋体２を閉じて蓋体２の係止部を軸筒１の係止部に係止し、それぞれの操作部材１５、１６を蓋体２に当接させて図１に示した複合筆記具を構成する。
【００２１】
そして、固形芯１３で筆記を行う場合には、固形芯繰出体に接続された操作部材１５の操作部１５Ｂを窓孔１Ｅに沿ってコイルスプリング３を圧縮させながら前方にスライドさせることにより、固形芯１３が軸筒１の前端孔１Ａから突出するとともに、操作部材１５の後端係止部１５Ｆが軸筒１の係止壁部に係止され、図４に示したように固形芯１３が突出した状態に維持される。
【００２２】
この状態で固形芯１３を繰り出す場合には、操作部材１５の操作部１５Ｂを前方に押圧すると、ガイド筒１２の前端が軸筒１の前端部内壁１Ｂに当接する。更に、操作部材１５を前進させるとガイド筒１２に対してチャック４が前進する。すると、締具５により閉じられたチャック４は押棒１１を保持して前進する。押棒１１が前進すると、押棒１１に押された固形芯１３がガイド筒１２の係合部１２Ｂと摩擦接触しながら前進する。そして、締具５が先部材９の係止段９Ａに当接すると、チャック４から締具５が外れて押棒１１を解放し、一定量固形芯１３が繰り出される。尚、押棒１１の後端に後膨出部１１Ｂが形成されているので、必要以上に操作部材１５の押圧を繰り返して押棒１１を繰り出しても、押棒１１の後膨出部１１Ｂがノック筒７の内段７Ｂに当接するので、押棒１１が外れてしまう恐れはない。また、押棒１１の前端に大型の前膨出部１１Ａを形成することにより、押棒１１で固形芯１３を確実に押すことができ、固形芯１３の後端を削ったり破損させてしまう恐れはない。
【００２３】
また、固形芯１３を没入させる場合には、ボールペン体１７に接続された操作部材１６を押圧すれば、ボールペン体１７側の操作部材１６の前側突出部１６Ｂが固形芯繰出体に接続された操作部材１５の後側突出部１５Ｄに当接して固形芯繰出体に接続された操作部材１５を外方に押し上げ、軸筒１の係止壁部１Ｆから操作部材１５の後端係止部１５Ｆが外れ、固形芯繰出体がコイルスプリング３により長手方向後方に付勢されて後退し固形芯１３が没入する。また、同様にしてボールペン体１７を突出したり没入することができる。
【実施例２】
【００２４】
以下、図５に基づいて本発明の複合筆記具に収納される他の固形芯繰出体を説明する。尚、図１と同一部材は同一の符号を付してその説明を省略する。押棒１１１をホルダー１０及びチャック４に挿入する前に、押棒１１１の前端に熱を加えて大型の外鍔状に変形させ前膨出部１１１Ａを形成する。この押棒１１１をホルダー１０及びチャック４内に前方から挿入する。
【００２５】
次に、ノック筒７を前方に押圧してチャック４を拡開した状態で、ガイド筒１２に固形芯１３を挿入し、ガイド筒１２の係合部１２Ｂで固形芯１３を適度の力で保持するとともに、固形芯１３の後端を押棒１１１の前膨出部１１１Ａに当接し、固形芯１３を十分に挿入した状態でノック筒７の押圧を解除し、固形芯繰出体に固形芯１３を収納する。
【００２６】
上記固形芯繰出体には、ノック筒７の細径の後部７Ａに合成樹脂製のパイプ部材１４を圧入固着し、このパイプ部材１４の後部を操作部材１５の前端に形成された接続部１５Ａに圧入固着する。この操作部材１５を連結した固形芯繰出体も前記複合筆記具に収納して同様に使用することができる。
【００２７】
尚、本発明は上記実施例に限定されるものではなく、ノック筒、外筒、先部材といった部材は複数の部材を固着して一体化し構成しても良い。また、軸筒は、複数の部材を圧入固着したり着脱可能に螺合して構成しても良い。更に、軸筒に形成されるスプリング支持部も別部材を圧入固着したり接着して一体に構成しても良い。更にまた、先部材の一部に弾性片を形成してホルダーとしても良い。更にまた、押棒に形成される前膨出部や後膨出部は必ずしも一体で形成する必要はなく、別部品を圧入や接着により固着して形成することも考えられる。更にまた、複合筆記具は筆記体を２本収納するものに限定されるものではなく、３本あるいは４本等複数の筆記体を収納できるものであれば、本数は限定されないものである。
【産業上の利用可能性】
【００２８】
操作部材を連結した固形芯繰出体を、交換可能に軸筒内に収納できるとともに、スムーズに挿入できる複合筆記具に適用できる。
【符号の説明】
【００２９】
１    軸筒
１Ａ    軸筒１の前端孔
１Ｃ    軸筒１のスプリング支持部
１Ｄ    軸筒１の内孔
１Ｅ    軸筒１の窓孔
１Ｇ    軸筒１の開口部
３    コイルスプリング
４    チャック
８    スプリング
１１    押棒
１１Ａ    押棒１１の前膨出部
１２    ガイド筒
１２Ｂ    ガイド筒１２の係合部
１３    固形芯
１５    操作部材
１５Ｂ    操作部材１５の操作部
１６    操作部材
１６Ａ    操作部材１６の操作部
１１１    押棒
１１１Ａ    押棒１１１の前膨出部
【図１】
2013052580.tif 000003
【図２】
2013052580.tif 000004
【図３】
2013052580.tif 000005
【図４】
2013052580.tif 000006
【図５】
2013052580.tif 000007